(57)【要約】【課題】本発明の目的は、傘の張り布の滴が被服や鞄等に接触して濡れないようにするためにデザイン性に優れた傘用のカバーおよびそれを用いた傘を提供することを目的とする。【解決手段】本発明は、傘５に取り付けられて傘５と一体使用する傘カバー１であって、合体状態で収納袋が形成され、分離状態で各片に分かれる複数の袋片２であって、傘５を開いたときには分離状態にて傘５の外表面の少なくとも一部を覆うように傘５の外表面に沿い、傘５を閉じたときには合体状態にて収納袋を形成して傘５を袋内に収納する複数の袋片２と、袋片２の一端を傘５の石突６に取り付けるための石突取付部材３と、袋片２の他端を傘５の露先７に取り付けるための露先取付部材４とを備え、複数の袋片２は、露先取付部材４側の幅が石突取付部材３側の幅よりも広くなっている。【選択図】図１
2011189112.tif 000002
【特許請求の範囲】
【請求項１】
傘に取り付けられて前記傘と一体使用する傘カバーであって、
合体状態で収納袋が形成され、分離状態で各片に分かれる複数の袋片であって、前記傘を開いたときには前記分離状態にて前記傘の外表面の少なくとも一部を覆うように前記傘の外表面に沿い、前記傘を閉じたときには前記合体状態にて前記収納袋を形成して前記傘を袋内に収納する複数の袋片と、
前記袋片の一端を前記傘の石突に取り付けるための石突取付部材と、
前記袋片の他端を前記傘の露先に取り付けるための露先取付部材とを備え、
前記複数の袋片は、前記露先取付部材側の幅が前記石突取付部材側の幅よりも広くなっていることを特徴とする、傘カバー。
【請求項２】
前記袋片は二枚であり、前記袋片の両側端部分同士を接合するための接合部材を備えたことを特徴とする、請求項１に記載の傘カバー。
【請求項３】
前記石突取付部材は、
前記石突を挿入する石突用孔部と、
前記袋片の一端を前記石突用孔部から撓むことができるように取り付ける可撓性取付部と
を含むことを特徴とする、請求項１または２のいずれかに記載の傘カバー。
【請求項４】
前記石突取付部材は、前記袋片の一端を回動可能に取り付けることを特徴とする、請求項１ないし３のいずれかに記載の傘カバー。
【請求項５】
前記石突と前記石突取付部材とは一体化されていることを特徴とする、請求項１ないし４に記載の傘カバー。
【請求項６】
前記露先取付部材は、
前記露先を挿入する露先用孔部と、
前記袋片の他端と接合する接合部と
を含むことを特徴とする、請求項１ないし５のいずれかに記載の傘カバー。
【請求項７】
前記袋片は、露先取付部材側および／または石突取付部材側において、着脱可能であることを特徴とする、請求項１ないし６に記載の傘カバー。
【請求項８】
前記袋片がファスナ機構を備えたものであることを特徴とする請求項２ないし７のいずれかに記載の傘カバー。
【請求項９】
閉じた状態の前記傘が通過可能な内径を持つ補助部材と、
前記ファスナ機構に連動させて前記補助部材を前記傘の外表面と前記袋片との間を前記石突から前記露先方向へ移動させる連結部とを備え、
前記補助部材の移動により前記傘の傘布のはみ出しを抑えつつ前記袋片同士の連結による前記収納袋の形成を補助する傘布収納補助手段を備えたことを特徴とする請求項８に記載の傘カバー。
【請求項１０】
前記補助部材が環状体又は筒状体であり、前記傘布収納補助手段において、閉じた状態の前記傘の石突から露先にかけて前記環状体又は筒状体を通すことにより前記傘の傘布のはみ出しを抑えるものである請求項９に記載の傘カバー。
【請求項１１】
前記補助部材が無端環状の芯線に複数の回転体を回動可能に取り付けた数珠状体であり、前記傘布収納補助手段において、閉じた状態の前記傘の石突から露先にかけて前記数珠状体を通すことにより前記傘の傘布のはみ出しを抑えるものである請求項９に記載の傘カバー。
【請求項１２】
前記袋片に取り付けられた生地部材をさらに備えることを特徴とする請求項２ないし７のいずれかに記載の傘カバー。
【請求項１３】
前記袋片には、撥水加工が施されていることを特徴とする、請求項１ないし１２のいずれかに記載の傘カバー。
【請求項１４】
請求項１ないし１３のいずれかに記載の傘カバーを備えることを特徴とする、傘。
【請求項１５】
傘の石突に取り付けられる石突取付部材と、前記傘の露先に取り付けられる露先取付部材とを備える傘カバーに対して、着脱可能に取り付けられる袋片であって、
前記袋片の一端は、前記石突取付部材に取り付けられ、
前記袋片の他端は、前記露先取付部材に取り付けられることを特徴とする、袋片。
【発明の詳細な説明】
【技術分野】
【０００１】
本発明は、傘および傘に取り付けるカバーに関する。
【背景技術】
【０００２】
従来、濡れた傘の滴が被服や鞄等に接触して濡れないようにするための発明として、特許文献１ないし５に記載の発明がある。特許文献１ないし５では、傘の張り布にカバー布を取り付けて、傘を折り畳むときに、当該カバー布で傘を覆って、傘の張り布の滴が被服や鞄等に接触して濡れないようにする発明が開示されている。
【０００３】
特許文献６では、傘を開いたときの状態と、閉じたときの状態とで、模様に関して異なるイメージを与えるために、石突から露先にかけて、帯状の模様を施した発明が開示されている。特許文献７では、傘を閉じた時に、カバー骨が互いに密着することにより、傘の張り布の滴を覆うことができ、被服や鞄等に接触して濡れることはないようにした発明が開示されている。
【先行技術文献】
【特許文献】
【０００４】
【特許文献１】実開平２−１０５７１９号公報
【特許文献２】特開平８−２１４９２４号公報
【特許文献３】特開平９−１１７３１４号公報
【特許文献４】特開昭６１−２２８０４号公報
【特許文献５】特開平６−５７２２０号公報
【特許文献６】実開昭６０−１１７７１３号公報
【特許文献７】特開平２−３６８０４号公報
【発明の概要】
【発明が解決しようとする課題】
【０００５】
特許文献１ないし５に記載のカバーは、貼り布に取り付けられているため、デザイン性に乏しい。特許文献６に記載の傘は、開いた状態と閉じた状態とで異なるイメージを与えるので、デザイン性には優れているものの、傘の張り布の滴が被服や鞄等に接触して濡れないようにするためには作用しない。また、特許文献７に記載の傘は、傘を閉じた時に、カバー骨が互いに密着することにより、傘の張り布の滴を覆うことができ、被服や鞄等に接触して濡れることはないが、いわゆる番傘の外観でデザイン性に乏しい。
【０００６】
それゆえ、本発明の目的は、傘の張り布の滴が被服や鞄等に接触して濡れないようにするためにデザイン性に優れた傘用のカバーおよびそれを用いた傘を提供することを目的とする。
【課題を解決するための手段】
【０００７】
上記課題を解決するために、本発明は、以下のような特徴を有する。本発明は、傘に取り付けられ傘と一体使用する傘カバーであって、合体状態で収納袋が形成され、分離状態で各片に分かれる複数の袋片であって、傘を開いたときには分離状態にて傘の外表面の少なくとも一部を覆うように傘の外表面に沿い、傘を閉じたときには合体状態にて収納袋を形成して傘を袋内に収納する複数の袋片と、袋片の一端を傘の石突に取り付けるための石突取付部材と、袋片の他端を傘の露先に取り付けるための露先取付部材とを備え、複数の袋片は、露先取付部材側の幅が石突取付部材側の幅よりも広くなっている。
【０００８】
好ましくは、袋片は二枚であり、袋片の両側端部分同士を接合するための接合部材を備える。
【０００９】
石突取付部材は、石突を挿入する石突用孔部と、袋片の一端を石突用孔部から撓むことができるように取り付ける可撓性取付部とを含むと好適である。
【００１０】
また、石突取付部材は、袋片の一端を回動可能に取り付けるとよい。
【００１１】
好ましくは、石突と石突取付部材とが一体化されているとよい。
【００１２】
露先取付部材は  露先を挿入する露先用孔部と、袋片の他端と接合する接合部とを含むと好適である。
【００１３】
袋片は、露先取付部材側および／または石突取付部材側において、着脱可能であることが好ましい。また、各袋片の両側端部分には、生地部材が取り付けられており、対向する生地部材を接合するための接合部材を含んでもよい。なお、袋片には、撥水加工が施されていることが好ましい。
【００１４】
また、本発明に係る傘カバーにおいて、袋片はファスナ機構を備えてもよい。さらに、閉じた状態の傘が通過可能な内径を持つ補助部材と、ファスナ機構に連動させて補助部材を傘の外表面と袋片との間を石突から露先方向へ移動させる連結部とを備え、補助部材の移動により傘の傘布のはみ出しを抑えつつ袋片同士の連結による収納袋の形成を補助する傘布収納補助手段を備えることが好ましい。なお、補助部材が環状体又は筒状体であり、傘布収納補助手段において、閉じた状態の傘の石突から露先にかけて環状体又は筒状体を通すことにより傘の傘布のはみ出しを抑えるものであってもよい。また、補助部材が無端環状の芯線に複数の回転体を回動可能に取り付けた数珠状体であり、傘布収納補助手段において、閉じた状態の傘の石突から露先にかけて数珠状体を通すことにより傘の傘布のはみ出しを抑えるものであってもよい。
【００１５】
本発明は、上記傘カバーを備える傘である。
【００１６】
また、本発明に係る袋片は、傘の石突に取り付けられる石突取付部材と、傘の露先に取り付けられる露先取付部材とを備える傘カバーに対して、着脱可能に取り付けられる袋片であって、袋片の一端は、石突取付部材に取り付けられ、袋片の他端は、露先取付部材に取り付けられる。
【発明の効果】
【００１７】
本発明によれば、傘が閉じられたときに袋片によって傘の外側が覆われる、もしくは、袋片に取り付けられた生地部材によって傘の外側が覆われることになる。よって、傘の張り布の滴が被服や鞄等に接触して濡れないようにすることができる。さらに、袋片によって傘の外側が覆われた場合、開いているときと異なる印象を与えることができる。また、傘の張り布の滴が被服や鞄等に接触して濡れないようにするためにデザイン性に優れた傘カバーおよびそれを用いた傘が提供されることとなる。
【００１８】
また、袋片を湾曲化させれば、傘の張り布を確実に覆うことが可能となり、滴の垂れや被服への接触をより防止できる。袋片において、露先取付部材側の幅を石突取付部材側の幅よりも広くすれば、傘を折り畳んだときに、袋片が邪魔になるのを防止しつつ、傘の張り布を確実に覆うことが可能になる。
【００１９】
袋片に生地部材を取り付けたり、さらに、二枚の袋片に生地部材を取り付けて接合部材によって生地部材を接合するようにすれば、滴の垂れや被服への接触をより防止できる。
【００２０】
石突用孔部と可撓性取付部を用いれば、簡易な構造で、石突取付部材を提供することができる。
【００２１】
袋片の一端を石突取付部材に回動可能に取り付ければ、傘の開閉時に、袋片をスムーズに開閉することが可能になる。
【００２２】
石突と石突取付部材とを一体化すれば、部品点数を減らすことができ、コストダウンにつながる。
【００２３】
露先用孔部と接合部を用いれば、簡易な構造で、露先取付部材を提供することができる。
【００２４】
袋片を着脱可能にすれば、袋片だけを交換するといった使用方法が可能になる。袋片に撥水加工を施せば、滴を弾きやすくなる。
【００２５】
また、本発明に係る傘カバーにおいて、袋片はファスナ機構を備えるとともに、該ファスナ機構に連動する傘布収納補助手段を備えてもよい。この機構によれば、右利きの人でも左利きの人でもいずれか一方のファスナ機構に係るスライダの引き手を引くことで傘を傘カバーに収納することができる。
【００２６】
本発明のこれら、および他の目的、特徴、局面、効果は、添付図面と照合して、以下の詳細な説明から一層明らかになるであろう。
【図面の簡単な説明】
【００２７】
【図１】本発明の実施例１に係る傘カバー１を傘５から取り外して展開した状態を模式的に示す斜視図である。
【図２】図１に係る傘カバー１について、（ａ）は袋片２を示す斜視図であり、（ｂ）は（ａ）に破線で示されるＡ部分の拡大図である。
【図３】図１に係る傘カバー１を傘５に取り付けた状態を示す図であり、（ａ）は傘５を開いた状態を模式的に示す斜視図、（ｂ）は傘５を開いた状態における平面図である。
【図４】本発明の実施例１に係る傘カバー１が傘５に取り付けられて折り畳まれたときの様子を示す平面概略図で、（ａ）は傘５を広げる前の状態を示し、（ｂ）は傘５の傘布を収納した状態を示す。
【図５】本発明の実施例１に係る傘カバー１が傘５に取り付けられて折り畳まれたときの様子を示す斜視図である。
【図６】本発明の実施例２に係る傘カバー１における露先取付部材４および袋片２の拡大斜視図である。
【図７】本発明の実施例２に係る傘カバー１における、幅を広くした場合の袋片２の部分拡大斜視図である。
【図８】本発明の実施例２に係る傘カバー１における、石突取付部材８の着脱可能構造の一例を示す図である。
【図９】本発明の実施例３に係る傘カバー３１を模式的に示す斜視図であり、（ａ）は袋片３２が開いた状態、（ｂ）は袋片３２が閉じた状態をそれぞれ示している。
【図１０】本発明の実施例３に係る傘カバー３１の傘布収納補助手段を模式的に示す斜視図である。
【図１１】本発明の実施例３に係る傘布収納補助手段により、傘３５の傘布が傘カバー３１に収納または開放される様子を示す図である。
【図１２】本発明の実施例３に係る傘カバー３１の傘布収納補助手段の拡大図である。
【図１３】本発明の実施例３に係る傘カバー３１の別の傘布収納補助手段を示す図であり、（ａ）は模式的な斜視図、（ｂ）は（ａ）の平面図、（ｃ）は（ａ）に示した球状体の代替として使用する円筒体の一部を模式的に示している。
【図１４】実施例４に係る傘カバー１の一部を示す斜視図である。
【図１５】実施例５に係る傘カバー１が傘５に取り付けられて折り畳まれたときの様子を示す平面概略図である。
【図１６】実施例５に係る傘カバー１が傘５に取り付けられて折り畳まれたときの別の様子を示す平面概略図である。
【図１７】実施例１に係る傘カバー１が傘５に取り付けられて広げた状態を示す図であり、（ａ）は平面図、（ｂ）は正面図、（ｃ）は左側面図である。
【発明を実施するための形態】
【００２８】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限られるものではない。
【実施例１】
【００２９】
実施例１を図面を参照して詳細に説明する。
【００３０】
図１は、本発明の実施例１に係る傘カバー１を傘５から取り外して展開した状態を模式的に示す斜視図である。図１に示すとおり、傘カバー１は、二枚の袋片２と、石突取付部材３と、露先取付部材４とを備える。
【００３１】
袋片２は、傘５の収納袋を縦方向に複数個に切ったパーツのような形状をしており、合体状態で収納袋が形成され、分離状態で各片に分かれる複数の袋片となっている。後述する図３に示すように、傘５を開いたときには分離状態となり、傘５の外表面の少なくとも一部を覆うように傘５の外表面に沿い、また、後述する図４または図５に示すように、傘５を閉じたときには合体状態にて収納袋を形成して傘５を袋内に収納するものである。
【００３２】
袋片２は、薄い板状または布状の部材であり、可撓性のある部材が好ましい。また、一般的に傘５の柄の径は石突６の径よりも大きいことから、袋片２について、露先取付部材４側の幅は石突取付部材３側の幅よりも広い形状とすることが好ましい。また、袋片２は、後述するように二枚の袋片２が対向し合うように折り畳んだ際、傘５全体が対向し合う袋片２の間に収まりやすいよう湾曲していることが好ましい。これらの形状により、傘５の張り布が袋片２の外側にはみ出てしまうことを防止することが可能になる。
【００３３】
図１に示すとおり、石突取付部材３は、袋片２の一方の端部、すなわち石突６を挿入する側の端部に取り付けられ、露先取付部材４は、袋片２の他方の端部、すなわち露先７を取り付ける側の端部に取り付けられる。なお、二枚の布片２は、一枚の板状部材または布状部材の中央に石突取付部材３を取り付けることにより形成してもよい。
【００３４】
次に図２を参照する。図２は、傘カバー１について、（ａ）は袋片２を示す斜視図であり、（ｂ）は（ａ）に破線で示されるＡ部分の拡大図である。すなわち、図１に示されている二枚の袋片２のうちの一枚を示しており、以下詳細に説明する。
【００３５】
図２（ａ）を参照する。石突取付部材３は、傘５の石突６に取り付けられる部材である。石突取付部材３は、石突用孔部８を有する。石突用孔部８は、石突６を挿入可能な程度の大きさを有する。石突取付部材３は、石突６に袋片２を引っ掛けて固定させる部材であればよく、金属や樹脂が好適である。なお、石突取付部材３は、独立した部材として、二枚の袋片２の石突６側の端部で連結するように構成してもよいし、二枚の袋片２と一体成形されてもよい。
【００３６】
露先取付部材４は、傘５の露先７に取り付けられる部材である。図２（ｂ）に示すとおり、露先取付部材４は、露先用孔部１１と接合部１２とを有する。露先用孔部１１は、露先７を挿入可能な程度の大きさを有する。接合部１２は、袋片２の一方の端部に接合する。接合部１２と袋片２とは、一体形成されてもよいし、または別々に形成され各種接合手段、例えばリベットや接着剤等で接合されてもよい。
【００３７】
図３を参照する。図３は、本発明に係る傘カバー１を示す図であり、（ａ）は傘５が開いた状態を模式的に示す斜視図、（ｂ）は傘５を開いた状態における平面図である。なお、図３において、傘カバー１は実線で、傘５は点線で示している。
【００３８】
図３（ａ）および（ｂ）に示すとおり、傘カバー１の構成要素である袋片２は、傘５の石突６の付け根から一つの傘骨に沿って露先７の方向に延びている。つまり、傘５を開いたときには分離状態となり、傘５の外表面の少なくとも一部を覆うように傘５の外表面に沿うようになる。なお、実施例１においては、袋片２は二枚使用されるが、図３（ａ）においては図中手前の袋片２のみが示され、図中奥側の袋片２は示されていない。  
【００３９】
次に図３（ｂ）を参照する。図３（ｂ）に示すとおり、図３（ａ）において示されていない奥側の袋片２は、一方の袋片２が石突６を介して対向する露先７の方に延びている。
【００４０】
図４および５を参照する。図４は、本発明の実施例１に係る傘カバー１が傘５に取り付けられて折り畳まれたときの様子を示す平面概略図で、傘５の柄側から石突側の方向を見た図となっている。（ａ）は傘５を広げる前の状態を示し、（ｂ）は傘５の傘布を収納した状態を示す。図５は、本発明の実施例１に係る傘カバー１が傘５に取り付けられて折り畳まれたときの様子を示す斜視図である。
【００４１】
図４において、袋片２の各々の縦方向両側端には、布やナイロンシート、樹脂フィルム等のシート状の二枚の生地部材１７が取り付けられている。また、生地部材１７の縦方向一方側端には、ファスナや面ファスナ等の接合部材１８が取り付けられている。図４（ａ）の状態は、接合部材１８は接合していない状態であり、傘５を広げることができる。一方、図４（ｂ）の状態は、対向する接合部材１８同士を接合することによって、傘５の傘布を傘カバー１の内側に収容することができる。
【００４２】
二枚の袋片２のうち、一方の袋片２は帯部材１９ａを備え、他方の袋片２は留め具１９ｂを備える。帯部材１９ａおよび留め具１９ｂは、例えば面ファスナやボタン、スナップ、リング部材等による引っ掛け構造を用いることができる。図４および５に示すように、生地部材１７を袋片２の内側に入れて、帯部材１９ａと留め具１９ｂとを接合すれば、生地部材１７は適切に傘カバー１の内側に収容されることとなる。つまり、傘５を閉じたときには各袋片の両側端同士を接合させて合体状態とし、収納袋を形成することができ、当該収納袋内に傘５を収納することができる。
【００４３】
このように、実施例１では、二枚の袋片２と四枚の生地部材１７とを用いることによって、傘５の張り布部分を確実に収容することができ、傘５の張り布部分が被服や鞄等に接触する等して、被服や鞄等を濡らすことを防止することができる。
【実施例２】
【００４４】
次に実施例２を図面を参照して詳細に説明する。
【００４５】
図６、７および８を参照する。図６は、本発明の実施例２に係る傘カバー１における露先取付部材４および袋片２の拡大斜視図である。図７は、本発明の実施例２に係る傘カバー１における、幅を広くした場合の袋片２の部分拡大斜視図である。図８は、本発明の実施例２に係る傘カバー１における、石突取付部材８の着脱可能構造の一例を示す図である。なお、実施例２において、実施例１と同様の機能を有する部分については、同一の符号を付する。
【００４６】
図６によると、露先取付部材４の接合部１２は、抜き差し孔１４を有する。一方、袋片２における露先取付部材４側の端部は、差し込み部１５を有する。差し込み部１５が抜き差し部１４に挿入および離脱することにより、露先取付部材４は、袋片２の他端が接合部１２に着脱可能な構造を有する。なお、着脱可能にするための構造は、図６に示す構造に限ることなく、あらゆる周知の着脱可能な構造を用いることができる。例えば、差し込み部１５に二つの返しが付いており、当該二つの返しを縮めることによって差し込み孔１４に差し込み部１５が差し込まれ、当該二つの返しを縮めることによって差し込み孔１４から差し込み部１５が抜けるようにしてもよい。さらに、着脱可能な連結構造として、平ベルト用のバックル構造や各種フック等の構造が用いられてもよい。またさらに、袋片２の石突取付部材３側も着脱可能な構造、例えば、差し込み孔と差し込み部の構造、返し構造、バックル構造や各種フック構造等を設けてもよい。このような構造により、袋片２のみを交換する使用方法が可能になる。
【００４７】
また、図７に示すように、袋片２の幅を広げて湾曲させれば、傘５の張り布を外側で覆いやすくなる。
【００４８】
図８を参照する。図８に示すように、袋片２の一端は、Ｔ字状部１６となっている。石突取付部材８は、石突６と引っ掛け部１３とが一体に形成されている。引っ掛け部１３には、凹部または孔部が設けられており、Ｔ字状部１６が、着脱可能に引っかかるようになっている。これにより、袋片２は石突取付部材８に回動可能に取り付けられうる。
【実施例３】
【００４９】
実施例３を図面を参照して詳細に説明する。
【００５０】
図９、１０、１１、１２、１３を参照する。図９は、本発明の実施例３に係る傘カバー３１を模式的に示す斜視図であり、（ａ）は袋片３２が開いた状態、（ｂ）は袋片３２が閉じた状態をそれぞれ示している。図１０は、本発明の実施例３に係る傘カバー３１の傘布収納補助手段（連結部４４、補助部材４５）を模式的に示す斜視図である。図１１は、本発明の実施例３に係る傘カバー３１の傘布収納補助手段（連結部４４、補助部材４５）の拡大図である。図１２は、本発明の実施例３に係る傘布収納補助手段により、傘３５の傘布が傘カバー３１に収納または開放される様子を示す図である。図１３は、本発明の実施例３に係る傘カバー３１の別の傘布収納補助手段を示す図であり、（ａ）は模式的な斜視図、（ｂ）は（ａ）の平面図、（ｃ）は（ａ）に示した球状体の代替として使用する円柱体の一部を模式的に示している。なお、芯線４６０は球状体４７０に隠れて外観に現れないが、図１３（ａ）および（ｂ）においては点線で示している。
【００５１】
図９に示すとおり、実施例１と同様に、本発明の実施例３に係る傘カバー３１は、二枚の袋片３２と、石突取付部材３３と、露先取付部材３４とを備える。ここで、実施例３において、実施例１と同一の説明は省略する。
【００５２】
図９（ａ）を参照すると、石突取付部材３３は、石突用孔部３８と可撓性取付部３９とを有する。可撓性取付部３９は、可撓性の樹脂等によって形成される。可撓性取付部３９には、袋片３２の一端が取り付けられており、袋片３２が石突用孔部３８を中心として撓むことができる仕組みとなっている。なお、可撓性取付部３９は袋片３２と一体形成されてもよいし、また、別体によって形成されていて各種接合手段、例えばリベットや接着剤等で接合されていてもよい。
【００５３】
図９（ａ）および（ｂ）に示すとおり、実施例３において、二枚の袋片３２は、二つのファスナ機構によって連結される。なお、図９においては、図中手前のファスナ機構のみが示され、図中奥側のものは示されていない。
【００５４】
次に、図１０を参照する。図１０によると、本発明の実施例３に係る傘カバー３１は、ファスナ機構に連動する傘布収納補助手段を備えることができる。この構成例では傘布収納補助手段は補助部材４５と連結部４４を備えた構成となっている。
【００５５】
補助部材４５は、例えば、石突側の径が露先側の径よりも小さい略円錐台形状の円筒が好ましい。後述するように、袋片３２同士を連結して収納袋を形成する際、閉じた状態の傘３５全体を補助部材４５に通過させるため、閉じた状態の傘３５が通過可能な内径を持つ形状となっている。
【００５６】
この補助部材４５を利用することにより傘布の広がりを整えることができる。つまり、補助部材４５を利用しない場合であれば、傘３５を閉じたとき傘布の広がりは石突側に比べて露先側の方が広いため、傘３５を傘カバー３１に収納する際に傘布が袋片３２からはみ出やすい。しかし、補助部材４５を利用する場合、図１１に示すとおり、閉じた状態の傘３５全体が補助部材４５内を通過するため、傘３５を傘カバー３１に収納する際に傘布が袋片３２からはみ出るのを防ぐことが可能になる。なお、補助部材４５は、樹脂製が好ましいが、相当程度の機械的強度を有し、軽量で加工性に優れる素材であればよい。例えば、軽量のアルミニウム合金等でもよい。
【００５７】
次に、連結部４４は、ファスナ機構と補助部材４５を連結するものであり、ファスナ機構の動きに合わせて補助部材４５を傘３５の外表面と袋片３２との間を移動させる機構となっている。例えば、ファスナ機構が石突から露先方向へ移動する際、補助部材４５も傘３５全体を通過させながら石突から露先方向へ移動する。
【００５８】
ファスナ機構と、ファスナ機構に連動する傘布収納補助手段の連動について、図１２を参照して詳細に説明する。図１２によると、ファスナ機構は、スライダ４１と、スライダ４１の引き手４２と、エレメント４３とからなる。スライダ４１の底面に連結部４４が取り付けられており、連結部４４は補助部材４５の任意の位置に連結される。他方のファスナ機構も同様である。連結部４４を介したスライダ４１と補助部材４５との連結により、一方のスライダ４１の引き手４２を引っ張ると、引っ張った方向に補助部材４５が移動し、これに伴い他方のスライダ４１が同一方向に引っ張られる。閉じた状態の傘３５全体が補助部材４５内を通過するため、傘布の広がりが抑えられ、図１１に示すとおり、傘布は袋片３２からはみ出ることなく袋片３２同士が連結して形成される袋体に収容されることになる。したがって、傘３５の張り布部分を確実に収容することができ、傘３５の張り布部分が被服や鞄等に接触する等して、被服や鞄等を濡らすことを防止することができる。
【００５９】
次に、図１３を参照する。図１３（ａ）および（ｂ）に示すように、補助部材４５０は、複数の球状体４７０が無端環状の芯線４６０に回動可能に連結された数珠状体４５０で構成されてもよい。球状体４７０が芯線４６０に対して回動可能に取り付けられているので、補助部材４５０の内部を傘３５が通過する際、球状体４７０が回転することにより傘３５が補助部材４５０内を通過しやすくなっている。上述した数珠状体で構成される補助部材４５０を用いる場合は、芯線４６０はグラスファイバまたは金属製が好適であり、複数の球状体は、合成樹脂材やゴム材を用いることができる。なお、図１３（ａ）および（ｂ）において、連結部４４０は複数の球状体４７０のうち対向する任意の球状体４７０とファスナ機構（図に示されない）を連結する。また、連結部４４０は、芯線４６０とファスナ機構（図に示されない）を連結するようにしてもよい。
【００６０】
変形形態として、補助部材４５０は、図１３（ｃ）に示すような、複数の円柱体４７１が無端環状の芯線４６１に回動可能に連結された数珠状体４５０で構成されてもよい。
【実施例４】
【００６１】
実施例４を図面を参照して詳細に説明する。図１４は、実施例４に傘カバー１の一部を示す斜視図である。図１４において、石突取付部材３の構造に特徴がある。石突取付部材３は、ホックの雌部材３ａとホックの雄部材３ｂとを備える。雄部材３ｂは、石突６に接着剤等で取り付けられている。雌部材３ａと雄部材３ｂとを連結すれば、袋片２が石突６に取り付けられることとなる。なお、石突取付部材３は、袋片２の一端を石突６に取り付けるための構造を有していれば、いかなる構造であってもよい。
【実施例５】
【００６２】
最後に実施例５を図面を参照して説明する。実施例５は、前述した実施例の変形形態として、袋片２を三枚以上、例えば八枚や四枚とした実施例を示す。図１５および１６は、傘カバー１が傘５に取り付けられて折り畳まれたときの様子を示す平面概略図である。前述した実施例と同様に、袋片２は湾曲しておりかつ袋片２における露先取付部材４側の幅は、石突取付部材３側の幅より広くなっている。本発明では、袋片２の幅を調整することによって、袋片の数量を調整することができる。なお、袋片２の幅を広げる場合、傘５を開いたときに、袋片２が邪魔にならないように、袋片２は、薄くかつ撓みやすい材料で形成されているのが好ましい。
【００６３】
上記すべての実施例において、袋片に撥水加工を施しておくことにより、滴を弾きやすくなる。
【００６４】
なお、図１７は、実施例１に係る傘カバー１が傘５に取り付けられている状態を、傘カバーは実線で、その他の部分、すなわち傘の部分は点線で示している。このように、上記すべての実施例における傘カバーを備える傘が製造・販売されてよい。
【００６５】
なお、上記の実施例において、傘の骨の本数は八本で示されているが、これに限定されず、十六本や二十四本等としてよい。
【００６６】
上記すべての実施例において、複数のデザインの異なる袋片を製造して、袋片を好みに応じて取り替えるようにしてもよい。この場合、袋片と石突取付部材は、着脱可能としてもよいし、石突取付部材ごと袋片を取り替えるようにしてもよい。また、袋片と露先取付部材を着脱可能にしてもよいし、露先取付部材ごと袋片を取り替えるようにしてもよい。これらの着脱可能な構造は、ネジや面ファスナ、ボタン等、あらゆる周知の構造を用いることができる。
【００６７】
以上、本発明に係る傘カバー並びにそれを用いた傘およびそれに用いられる袋片における好ましい実施形態を図示して詳細に説明してきたが、本発明の技術的範囲を逸脱することなく種々の変更が可能であることは理解されるであろう。
【産業上の利用可能性】
【００６８】
本発明の傘カバー並びにそれを用いた傘は、傘カバー部分にロゴを付したり華やかな色彩をあしらったりすることによりデザイン性に優れた傘用のカバー並びに傘を提供することができ、産業上広く利用することができる。
【符号の説明】
【００６９】
１、３１          傘カバー
２、３２          袋片
３、３３          石突取付部材
４、３４          露先取付部材
５、３５          傘
６                石突
７                露先
８                石突用孔部
９                可撓性取付部
１１              露先用孔部
１２              接合部
１３              引っ掛け部
１４              抜き差し孔
１５              抜き差し部
１６              T字状部
１７              生地部材
４１              スライダ
４２              引き手
４３              エレメント
４４  ４４０      連結部
４５  ４５０      補助部材
４６０  ４６１    芯線
４７０            球状体
４７１            円柱体
【図１】
2011189112.tif 000003
【図２】
2011189112.tif 000004
【図３】
2011189112.tif 000005
【図４】
2011189112.tif 000006
【図５】
2011189112.tif 000007
【図６】
2011189112.tif 000008
【図７】
2011189112.tif 000009
【図８】
2011189112.tif 000010
【図９】
2011189112.tif 000011
【図１０】
2011189112.tif 000012
【図１１】
2011189112.tif 000013
【図１２】
2011189112.tif 000014
【図１３】
2011189112.tif 000015
【図１４】
2011189112.tif 000016
【図１５】
2011189112.tif 000017
【図１６】
2011189112.tif 000018
【図１７】
2011189112.tif 000019